(57)【要約】【課題】煩雑な操作を行うことなくチャンネル毎に設定した好みの音量レベルで音声を出力させ得る表示装置を提供する。【解決手段】音声出力部１８と、音声出力部１８からの音声の音量レベルデータＤｖを記憶する音量レベルメモリ１７と、音声出力部１８を制御する音声制御部１６とを備え、音量レベルメモリ１７は、音量レベルデータＤｖを各チャンネル毎に記憶可能に構成され、音声制御部１６は、チャンネル選択が行われたときに、選択されたチャンネルに対応する音量レベルデータＤｖを記憶部から読み出してその音量レベルデータＤｖに基づく音量レベルで選択されたチャンネルの音声を音声出力部１８から出力させる音量制御を実行する。【選択図】図１
2006101088.tif 000002
【特許請求の範囲】
【請求項１】
音声出力部と、当該音声出力部からの音声の音量レベルを記憶する記憶部と、前記音声出力部を制御する制御部とを備え、
前記記憶部は、前記音量レベルを各チャンネル毎に記憶可能に構成され、
前記制御部は、チャンネル選択が行われたときに、当該選択されたチャンネルに対応する前記音量レベルを前記記憶部から読み出して当該チャンネルの音声を当該音量レベルで前記音声出力部から出力させる音量制御を実行する表示装置。
【請求項２】
前記制御部は、２つのチャンネルの映像が表示部に２画面表示されている状態において当該両チャンネルのいずれか一方が選択されたときに前記音量制御を実行する請求項１記載の表示装置。
【請求項３】
前記制御部は、前記２つのチャンネルの映像が２画面表示された当初において、主画面用に選択された一方のチャンネルの音量レベルを他方のチャンネルの音量レベルとして前記記憶部に記憶させる請求項２記載の表示装置。
【請求項４】
請求項１から３のいずれかに記載の表示装置と、前記各チャンネルの前記音声を出力させる放送信号を抽出する放送信号抽出部とを備えているテレビ。
【請求項５】
前記放送信号抽出部は、複数のチューナを備えている請求項４記載のテレビ。
【発明の詳細な説明】
【技術分野】
【０００１】
本発明は、音声出力部と、音量レベルを記憶する記憶部と、音声出力部を制御する制御部とを備えた表示装置、およびその表示装置を備えたテレビに関するものである。
【背景技術】
【０００２】
この種のテレビとして、特開平１１−３５５６９１号公報に開示された二画面テレビ受像機が知られている。この二画面テレビ受像機は、２つのテレビ放送チャンネルの番組を主画面および副画面として同時に表示している状態において、例えば主画面の音声から副画面の音声に出力させる音声を切り替えたとしても、その音声の音量レベルが常にユーザの設定通りの音量レベルとなるように制御する音量制御装置を備えて構成されている。
【特許文献１】特開平１１−３５５６９１号公報（第３−４頁、第１図）
【発明の開示】
【発明が解決しようとする課題】
【０００３】
ところが、従来の二画面テレビ受像機には、以下の問題点がある。すなわち、この二画面テレビ受像機では、主画面および副画面のいずれの音声もユーザの設定した音量レベル通りに出力される。このため、この二画面テレビ受像機では、例えば、ドラマやニュース番組は低い音量レベルで、スポーツ番組やバラエティ番組は高い音量レベルでというように、番組（チャンネル）毎に好みの音量レベルが異なるときには、チャンネルを切り替える度に音量レベルを手動で設定し直す必要があり、煩雑であるという問題点が存在する。
【０００４】
本発明は、かかる問題点に鑑みてなされたものであり、煩雑な操作を行うことなくチャンネル毎に設定した好みの音量レベルで音声を出力させ得る表示装置およびテレビを提供することを主目的とする。
【課題を解決するための手段】
【０００５】
上記目的を達成すべく本発明に係る表示装置は、音声出力部と、当該音声出力部からの音声の音量レベルを記憶する記憶部と、前記音声出力部を制御する制御部とを備え、前記記憶部は、前記音量レベルを各チャンネル毎に記憶可能に構成され、前記制御部は、チャンネル選択が行われたときに、当該選択されたチャンネルに対応する前記音量レベルを前記記憶部から読み出して当該チャンネルの音声を当該音量レベルで前記音声出力部から出力させる音量制御を実行する。
【０００６】
この表示装置によれば、チャンネル選択が行われたときに、選択されたチャンネルに対応する音量レベルを記憶部から読み出してその音量レベルでそのチャンネルの音声を出力することにより、視聴しようとする番組のチャンネルに切り替えるだけで、そのチャンネルの音声を予め設定された所望の音量レベルで出力させることができる。したがって、番組毎に好みの音量レベルが異なっていたとしても、チャンネルを切り替える度に音量レベルを手動で設定し直すような煩雑な操作を行うことなく、好みの音量で音声を出力させることができる。
【０００７】
また、本発明に係る表示装置は、上記の表示装置において、前記制御部は、２つのチャンネルの映像が表示部に２画面表示されている状態において当該両チャンネルのいずれか一方が選択されたときに前記音量制御を実行する。
【０００８】
この表示装置によれば、２画面表示の状態において、例えば、主画面とするチャンネルが選択されたときに、選択されたチャンネルに対応する音量レベルでそのチャンネルの音声を出力することにより、主画面と副画面とを切り替えるだけで主画面用に選択したチャンネルの音声を予め設定した所望の音量レベルで出力させることができる。したがって、主画面と副画面とを頻繁に切り替えたとしても、常に好みの音量レベルで音声を出力させることができる。
【０００９】
また、本発明に係る表示装置は、上記の表示装置において、前記制御部は、前記２つのチャンネルの映像が２画面表示された当初において、主画面用に選択された一方のチャンネルの音量レベルを他方のチャンネルの音量レベルとして前記記憶部に記憶させる。
【００１０】
この表示装置によれば、２つのチャンネルの映像が２画面表示された当初において、例えば、副画面用のチャンネルの音量レベルが記憶されていないときに、主画面用のチャンネルの音量レベルを副画面用のチャンネルの音量レベルとして記憶部に記憶させることにより、主画面と副画面とを切り替えた際に、切替前後における音量レベルを同等に設定することができる。
【００１１】
また、本発明に係るテレビは、上記の表示装置と、前記各チャンネルの前記音声を出力させる放送信号を抽出する放送信号抽出部とを備えている。
【００１２】
このテレビによれば、上記の表示装置と放送信号抽出部とを備えたことにより、上記の表示装置が有する効果と同様の効果を実現することができる。
【００１３】
さらに、本発明に係るテレビは、上記のテレビにおいて、前記放送信号抽出部は、複数のチューナを備えている。
【００１４】
このテレビによれば、複数のチューナを備えたことにより、例えば、２つのチャンネルの映像を２画面表示する際に、各映像をスムーズに表示することができる。
【発明を実施するための最良の形態】
【００１５】
以下、本発明に係る表示装置およびテレビの最良の形態について、添付図面を参照して説明する。図１に示すテレビ１は、リアプロジェクション型のテレビであって、本体部２およびリモコン３を備えている。本体部２は、表示部１１、表示制御部１２、選局処理部１３、第１チューナ１４ａ、第２チューナ１４ｂ、第１放送信号処理部１５ａ、第２放送信号処理部１５ｂ、音声制御部１６、音量レベルメモリ１７、音声出力部１８、受光部１９および主制御部２０を備えている。この場合、表示部１１、表示制御部１２、選局処理部１３、第１放送信号処理部１５ａ、第２放送信号処理部１５ｂ、音声制御部１６、音量レベルメモリ１７、音声出力部１８、受光部１９、主制御部２０およびリモコン３によって本発明に係る表示装置が構成される。
【００１６】
表示部１１は、図１に示すように、光学エンジン３１およびスクリーンパネル３２を備えている。光学エンジン３１は、本体部２の内部に配設されて、表示制御部１２から出力された表示用信号Ｓｅに基づいて変調した投射光Ｌをスクリーンパネル３２の背面側から投射する。具体的には、光学エンジン３１は、例えば、光源と、光源からの光を投射光Ｌに変調する光変調素子（一例として、ＤＭＤ（Digital Micro Mirror Device ）や液晶ライトバルブ）と、投射光Ｌを拡大する投射レンズ（いずれも図示せず）とを備えている。なお、このテレビ１では、実際には、光学エンジン３１からの投射光Ｌが反射ミラーによって反射されてスクリーンパネル３２に投射されるが、本発明についての理解を容易とするために、その図示および説明を省略する。スクリーンパネル３２は、光学エンジン３１から投射された投射光Ｌを受光して映像を表示する。
【００１７】
表示制御部１２は、主制御部２０の制御に従い、第１放送信号処理部１５ａから出力された映像データＤｐに基づき、例えば、図２に示すテレビ映像Ｐｔ１（以下、映像の内容を区別しないときには「テレビ映像Ｐｔ」ともいう）を１画面表示させるための表示用信号Ｓｅを生成して光学エンジン３１に出力する。また、表示制御部１２は、主制御部２０の制御に従い、第１放送信号処理部１５ａおよび第２放送信号処理部１５ｂからそれぞれ出力された映像データＤｐに基き、例えば、図４に示すように、テレビ映像Ｐｔ１およびテレビ映像Ｐｔ３を２画面表示させるための表示用信号Ｓｅを生成して光学エンジン３１に出力する。選局処理部１３は、主制御部２０の制御に従って制御信号Ｓｃ２を出力することにより、チューナ１４ａ，１４ｂによる放送信号Ｓｂの抽出、および放送信号処理部１５ａ，１５ｂによる映像データＤｐや音声データＤｓの出力を制御する。
【００１８】
チューナ１４ａ，１４ｂは、本発明における放送信号抽出部に相当し、選局処理部１３から出力された制御信号Ｓｃ２に従い、その制御信号Ｓｃ２によって指定されたチャンネルの放送信号Ｓｂを図外のアンテナで受信した放送波から抽出して、放送信号処理部１５ａ，１５ｂにそれぞれ出力する。放送信号処理部１５ａ，１５ｂは、例えば、ＩＦ回路、音声検波回路、映像検波回路およびＡ／Ｄ変換部（いずれも図示せず）などを備えている。この場合、放送信号処理部１５ａ，１５ｂは、チューナ１４ａ，１４ｂから出力された放送信号Ｓｂに基づく映像データＤｐおよび音声データＤｓを表示制御部１２および音声制御部１６にそれぞれ出力する。
【００１９】
音声制御部１６は、主制御部２０の制御に従い、例えばリモコン３を用いて設定されたテレビ音声の音量レベルを示す音量レベルデータＤｖを音量レベルメモリ１７に記憶させる。また、音声制御部１６は、主制御部２０の制御に従い、放送信号処理部１５ａ，１５ｂから出力された音声データＤｓ，Ｄｓに基づいて音声信号Ｓｓを生成して音声出力部１８に出力する。この場合、音声制御部１６は、音量レベルメモリ１７に記憶されている音量レベルデータＤｖに基づき、音声信号Ｓｓの信号レベルつまり音声出力部１８から出力されるテレビ音声の音量レベルを制御する。音量レベルメモリ１７は、本発明における記憶部に相当し、各チャンネル用に割り当てられた複数のメモリ領域を備えて構成され、音声制御部１６の制御に従い、各チャンネル用の音量レベルデータＤｖを各チャンネル用のメモリ領域にそれぞれ記憶する。音声出力部１８は、例えば、アンプおよびスピーカ（いずれも図示せず）を備えて構成され、音声データＤｓに基づくテレビ音声を出力する。
【００２０】
受光部１９は、リモコン３から出力された赤外線信号Ｓｉを受光して光電変換して操作信号Ｓｏを出力する。主制御部２０は、受光部１９から出力された操作信号Ｓｏに従って制御信号Ｓｃ１を出力することにより、表示制御部１２、選局処理部１３および音声制御部１６を制御する。また、主制御部２０は、リモコン３の操作によって音量レベルが設定されたときには、操作信号Ｓｏに従ってその音量レベルを示す音量レベルデータＤｖを生成して音声制御部１６に出力する。なお、主制御部２０および音声制御部１６によって本発明における制御部が構成される。
【００２１】
リモコン３は、図２に示すように、本体部２とは別体に形成されている。また、リモコン３は、電源ボタン４１、チャンネルボタン４２，４２・・、カーソルボタン４３，４３・・、決定ボタン４４、表示モード切替ボタン４５、音量設定ボタン４６，４６および主・副切替ボタン４７などの各種操作ボタンが配列されて構成され、これらの操作ボタンが操作されたときに、各操作ボタンに対応する操作信号を赤外線信号Ｓｉに変換して出力する。
【００２２】
次に、テレビ１の全体的な動作について、図面を参照して説明する。このテレビ１では、リモコン３の電源ボタン４１が操作された際に、表示部１１の光学エンジン３１に電源が供給されて、光源が発光する。また、主制御部２０が、直前の電源切断時に選局されていたチャンネル（例えばチャンネルＣＨ３）のテレビ映像Ｐｔを１画面表示させる制御信号Ｓｃ１を選局処理部１３および表示制御部１２に出力すると共に、そのチャンネルのテレビ音声を出力させる制御信号Ｓｃ１を選局処理部１３および音声制御部１６に出力する。これに応じて、選局処理部１３が、制御信号Ｓｃ２を第１チューナ１４ａおよび第１放送信号処理部１５ａに出力する。次いで、第１チューナ１４ａが、制御信号Ｓｃ２に従ってチャンネルＣＨ３の放送信号Ｓｂを抽出する。続いて、第１放送信号処理部１５ａが、制御信号Ｓｃ２に従って放送信号Ｓｂに基づく映像データＤｐおよび音声データＤｓを表示制御部１２および音声制御部１６にそれぞれ出力する。
【００２３】
次に、表示制御部１２が、映像データＤｐに基づく表示用信号Ｓｅを生成して表示部１１の光学エンジン３１に出力する。これに応じて、光学エンジン３１が光源からの光を表示用信号Ｓｅに基づく投射光Ｌに変調してスクリーンパネル３２に投射する。これにより、図２に示すように、チャンネルＣＨ３のテレビ映像Ｐｔ１がスクリーンパネル３２に１画面表示される。また、音声制御部１６が、主制御部２０から出力された制御信号Ｓｃ１に従って音声データＤｓに基づく音声信号Ｓｓを生成して音声出力部１８に出力し、音声出力部１８が、音声信号Ｓｓに基づくテレビ音声を出力する。この場合、音声制御部１６は、直前の電源切断時に設定されていた例えば「１８」の音量レベル（同図に示す音量レベル画像Ｐｖ参照）を示す音量レベルデータＤｖを音量レベルメモリ１７のチャンネルＣＨ３用のメモリ領域から読み出して、その音量レベルデータＤｖに基づいて音声信号Ｓｓに対する信号レベル制御（本発明における音量制御）を実行する。これにより、チャンネルＣＨ３のテレビ音声が「１８」の音量レベルで出力される。
【００２４】
次いで、例えば、チャンネルＣＨ１の番組を視聴するときには、リモコン３のチャンネルＣＨ１に対応するチャンネルボタン４２（図２に示す「１」の数字が付されたチャンネルボタン４２）を操作する。この際に、リモコン３がチャンネルボタン４２に対応する赤外線信号Ｓｉを出力し、受光部１９が赤外線信号Ｓｉを受光して操作信号Ｓｏを出力する。続いて、主制御部２０は、操作信号Ｓｏに従い、チャンネルＣＨ１のテレビ映像Ｐｔを１画面表示させる制御信号Ｓｃ１を選局処理部１３および表示制御部１２に出力すると共に、チャンネルＣＨ１のテレビ音声を出力させる制御信号Ｓｃ１を選局処理部１３および音声制御部１６に出力する。次に、選局処理部１３が、制御信号Ｓｃ１に従って制御信号Ｓｃ２を第１チューナ１４ａおよび第１放送信号処理部１５ａに出力する。次いで、第１チューナ１４ａがチャンネルＣＨ１の放送信号Ｓｂを抽出し、第１放送信号処理部１５ａが放送信号Ｓｂに基づく映像データＤｐおよび音声データＤｓを表示制御部１２および音声制御部１６にそれぞれ出力する。
【００２５】
続いて、表示制御部１２が映像データＤｐに基づく表示用信号Ｓｅを出力することにより、光学エンジン３１から投射光Ｌが投射されて、図３に示すように、チャンネルＣＨ１のテレビ映像Ｐｔ２がスクリーンパネル３２に１画面表示される。また、音声制御部１６が、主制御部２０から出力された制御信号Ｓｃ１に従って音声データＤｓに基づく音声信号Ｓｓを生成して音声出力部１８に出力し、音声出力部１８が、音声信号Ｓｓに基づくテレビ音声を出力する。この場合、音声制御部１６は、チャンネルＣＨ３用の音量レベルとして設定されていた「１８」の音量レベルを示す音量レベルデータＤｖを音量レベルメモリ１７のチャンネルＣＨ１用のメモリ領域に記憶させると共に、その音量レベルデータＤｖに基づいて音声信号Ｓｓに対する信号レベル制御を実行する。これにより、チャンネルＣＨ１のテレビ音声が「１８」の音量レベルで出力される。
【００２６】
次に、チャンネルＣＨ１のテレビ音声の音量レベルを「１８」から「２０」に上げるときには、リモコン３の音量設定ボタン４６を操作する。この際に、主制御部２０は、操作信号Ｓｏに従い、「２０」の音量レベルを示す音量レベルデータＤｖを生成して、音量レベルを上げる制御信号Ｓｃ１と共に音声制御部１６に出力する。これに応じて、音声制御部１６は、音量レベルメモリ１７のチャンネルＣＨ１用の記憶領域に「２０」の音量レベルを示す音量レベルデータＤｖを記憶（上書き）させると共に、その音量レベルデータＤｖに基づいて音声信号Ｓｓに対する信号レベル制御を実行する。これにより、チャンネルＣＨ１のテレビ音声が「２０」の音量レベルで出力される（図３に示す音量レベル画像Ｐｖ参照）。
【００２７】
次いで、例えば、表示中のチャンネルＣＨ１のテレビ映像Ｐｔ２を主画面とし、チャンネルＣＨ６のテレビ映像Ｐｔを副画面として両テレビ映像Ｐｔを２画面表示させるときには、例えば、リモコン３の表示モード切替ボタン４５を操作した後に、チャンネルＣＨ６に対応するチャンネルボタン４２（同図に示す「６」の数字が付されたチャンネルボタン４２）を操作する。この際に、主制御部２０は、操作信号Ｓｏに従い、チャンネルＣＨ１のテレビ映像Ｐｔを主画面とする２画面表示の指示を含んだ制御信号Ｓｃ１を選局処理部１３および表示制御部１２に出力すると共に、チャンネルＣＨ１のテレビ音声を出力させる制御信号Ｓｃ１を音声制御部１６に出力する。次に、選局処理部１３は、第１チューナ１４ａ、第１放送信号処理部１５ａ、第２チューナ１４ｂおよび第２放送信号処理部１５ｂに制御信号Ｓｃ２を出力する。
【００２８】
これに応じて、第１チューナ１４ａがチャンネルＣＨ１の放送信号Ｓｂを抽出し、第１放送信号処理部１５ａが放送信号Ｓｂに基づく映像データＤｐおよび音声データＤｓを表示制御部１２および音声制御部１６にそれぞれ出力する。また、第２チューナ１４ｂがチャンネルＣＨ６の放送信号Ｓｂを抽出し、第２放送信号処理部１５ｂが放送信号Ｓｂに基づく映像データＤｐを表示制御部１２に出力する。次いで、表示制御部１２が、第１放送信号処理部１５ａおよび第２放送信号処理部１５ｂからそれぞれ出力された映像データＤｐに基づいて２画面表示用の表示用信号Ｓｅを生成して光学エンジン３１に出力する。この場合、表示制御部１２は、チャンネルＣＨ１のテレビ映像Ｐｔが主画面である旨を示す枠画像Ｐｆ（図４参照）を表示可能に表示用信号Ｓｅを生成する。続いて、光学エンジン３１が表示用信号Ｓｅに基づく投射光Ｌを投射することにより、同図に示すように、チャンネルＣＨ１のテレビ映像Ｐｔ２とチャンネルＣＨ６のテレビ映像Ｐｔ３とが２画面表示される。この場合、テレビ映像Ｐｔ２の周囲には、主画面である旨を示す枠画像Ｐｆが表示される。
【００２９】
一方、音声制御部１６は、制御信号Ｓｃ１に従い、第１放送信号処理部１５ａから出力されたチャンネルＣＨ１の音声データＤｓに基づく音声信号Ｓｓを生成して音声出力部１８に出力する。この際に、音声制御部１６は、音量レベルメモリ１７のチャンネルＣＨ１用のメモリ領域に記憶されている「２０」の音量レベルを示す音量レベルデータＤｖに基づいて音声信号Ｓｓに対する信号レベルを制御する。これにより、チャンネルＣＨ１のテレビ音声が「２０」の音量レベルで音声出力部１８から出力される（図４に示す音量レベル画像Ｐｖ参照）。続いて、主制御部２０は、チャンネルＣＨ６用の音量レベルデータＤｖが音量レベルメモリ１７に記憶されていないときには、音量レベルメモリ１７から読み出した「２０」の音量レベルを示す音量レベルデータＤｖ（本発明における主画面用に選択された一方のチャンネルの音量レベル）を、チャンネルＣＨ６用の音量レベルデータＤｖ（本発明における他方のチャンネルの音量レベル）として音量レベルメモリ１７のチャンネルＣＨ６用のメモリ領域に記憶させる（コピーする）。
【００３０】
次に、チャンネルＣＨ１の音量レベルを「２０」から「２４」に上げるときには、リモコン３の音量設定ボタン４６を操作する。この際に、主制御部２０は、操作信号Ｓｏに従い、「２４」の音量レベルを示す音量レベルデータＤｖを生成して、音量レベルを上げる制御信号Ｓｃ１と共に音声制御部１６に出力する。次いで、音声制御部１６は、音量レベルメモリ１７のチャンネルＣＨ１用の記憶領域に「２４」の音量レベルを示す音量レベルデータＤｖを上書してき記憶させると共に、その音量レベルデータＤｖに基づいて音声信号Ｓｓに対する信号レベル制御を実行する。これにより、チャンネルＣＨ１のテレビ音声が「２４」の音量レベルで出力される（図５に示す音量レベル画像Ｐｖ参照）。
【００３１】
次に、チャンネルＣＨ１のテレビ映像Ｐｔ２を主画面から副画面に、チャンネルＣＨ６のテレビ映像Ｐｔ３を副画面から主画面に切り替える（以下、この切替を「主・副切替」ともいう）ときには、リモコン３の主・副切替ボタン４７を操作する。次いで、主制御部２０が操作信号Ｓｏに従ってテレビ映像Ｐｔ３の周囲に枠画像Ｐｆを表示させる制御信号Ｓｃ１を表示制御部１２に出力すると共に、チャンネルＣＨ６のテレビ音声を出力させる制御信号Ｓｃ１を音声制御部１６に出力する。続いて、表示制御部１２が制御信号Ｓｃ１に従って表示用信号Ｓｅを出力することにより、図６に示すように、主画面である旨を示す枠画像Ｐｆがテレビ映像Ｐｔ３の周囲に表示される。一方、音声制御部１６は、制御信号Ｓｃ１に従って第２放送信号処理部１５ｂから出力されたチャンネルＣＨ６の音声データＤｓに基づく音声信号Ｓｓを生成して音声出力部１８に出力する。この際に、音声制御部１６は、音量レベルメモリ１７のチャンネルＣＨ６用のメモリ領域に記憶されている「２０」の音量レベルを示す音量レベルデータＤｖに基づいて音声信号Ｓｓに対する信号レベル制御を実行する。これにより、チャンネルＣＨ６のテレビ音声が「２０」の音量レベルで音声出力部１８から出力される（同図に示す音量レベル画像Ｐｖ参照）。
【００３２】
一方、チャンネルＣＨ６の音量レベルを「２０」から「１８」に下げるときには、リモコン３の音量設定ボタン４６を操作する。この際に、主制御部２０は、操作信号Ｓｏに従い、「１８」の音量レベルを示す音量レベルデータＤｖを生成して、音量レベルを下げる制御信号Ｓｃ１と共に音声制御部１６に出力する。続いて、音声制御部１６は、音量レベルメモリ１７のチャンネルＣＨ６用の記憶領域に「１８」の音量レベルを示す音量レベルデータＤｖを上書きして記憶させると共に、その音量レベルデータＤｖに基づいて音声信号Ｓｓに対する信号レベル制御を実行する。これにより、チャンネルＣＨ６のテレビ音声が「１８」の音量レベルで音声出力部１８から出力される（図７に示す音量レベル画像Ｐｖ参照）。
【００３３】
次に、チャンネルＣＨ１のテレビ映像Ｐｔ２およびチャンネルＣＨ６のテレビ映像Ｐｔ３を再び主・副切替するために、リモコン３の主・副切替ボタン４７を操作したときには、主制御部２０が操作信号Ｓｏに従って表示制御部１２および音声制御部１６に制御信号Ｓｃ１を出力することより、枠画像Ｐｆがテレビ映像Ｐｔ２の周囲に表示されると共に、チャンネルＣＨ１のテレビ音声が出力される。この場合、音声制御部１６が「２４」の音量レベルを示すチャンネルＣＨ１用の音量レベルデータＤｖに基づいて音声信号Ｓｓに対する信号レベル制御を実行することにより、チャンネルＣＨ１のテレビ音声が「２４」の音量レベルで出力される。次いで、主・副切替ボタン４７が操作されたときには、主制御部２０が制御信号Ｓｃ１を出力し、表示制御部１２および音声制御部１６が制御信号Ｓｃ１に従って上記と同様にして動作することにより、枠画像Ｐｆがテレビ映像Ｐｔ２，Ｐｔ３のいずれか一方の周囲に切替表示されると共に、主画面に対応するチャンネルのテレビ音声が出力される。この場合、音声制御部１６が、各チャンネル用の音量レベルデータＤｖに基づいて音声信号Ｓｓに対する信号レベル制御を実行することにより、各チャンネル毎に設定された音量レベルでテレビ音声が出力される。したがって、主・副切替ボタン４７を繰り返して操作したとしても、音量レベルをその都度手動で操作することなく各チャンネル毎に設定した好みの音量レベルでテレビ音声が出力される。
【００３４】
続いて、表示モード切替ボタン４５が操作されたときには、主制御部２０が２画面表示を終了させる制御信号Ｓｃ１を出力することにより、主画面として表示されていたテレビ映像Ｐｔが１画面表示される。この際に、音声制御部１６がそのテレビ映像Ｐｔのチャンネル用の音量レベルデータＤｖに基づいて音声信号Ｓｓに対する信号レベル制御を実行することにより、２画面表示において最後に設定されていた音量レベルでテレビ音声が出力される。次に、チャンネルボタン４２が操作されてチャンネル切替が行われたときには、音声制御部１６が主制御部２０からの制御信号Ｓｃ１に従って切り替えられたチャンネル用の音量レベルデータＤｖに基づいて音声信号Ｓｓに対する信号レベル制御を実行する。これにより、各チャンネル毎（各番組毎）に設定された音量レベルでテレビ音声が出力される。
【００３５】
このように、このテレビ１によれば、チャンネル選択が行われたときに、選択されたチャンネルに対応する音量レベルデータＤｖを音量レベルメモリ１７から読み出してその音量レベルデータＤｖに基づいて音声信号Ｓｓに対する信号レベル制御を実行することにより、視聴しようとする番組のチャンネルにチャンネル切替するだけでそのチャンネルのテレビ音声を予め設定された所望の音量レベルで出力させることができる。したがって、番組毎に好みの音量レベルが異なっていたとしても、チャンネル切替を行う度に音量レベルを手動で設定し直すような煩雑な操作を行うことなく、テレビ音声を好みの音量で出力させることができる。
【００３６】
また、２画面表示の状態において主画面とするチャンネルが選択されたときに、そのチャンネルに対応する音量レベルデータＤｖに基づいて音声信号Ｓｓに対する信号レベル制御を実行すことにより、主画面と副画面とを切り替える切替操作を行うだけで主画面用に選択したチャンネルのテレビ音声を予め設定した所望の音量レベルで出力させることができる。したがって、主画面と副画面とを頻繁に切り替えたとしても、テレビ音声を常に好みの音量レベルで出力させることができる。
【００３７】
また、２つのチャンネルのテレビ映像Ｐｔが２画面表示された当初において、副画面用のチャンネルの音量レベルデータＤｖが記憶されていないときに、主画面用に選択されたチャンネルの音量レベルデータＤｖを副画面用のチャンネルの音量レベルデータＤｖとして音量レベルメモリ１７に記憶させることにより、主画面と副画面とを切り替えた際に、切替前後におけるテレビ音声の音量レベルを同等に設定することができる。
【００３８】
また、第１チューナ１４ａおよび第２チューナ１４ｂの２つのチューナを備えたことにより、２つのチャンネルのテレビ映像Ｐｔを２画面表示する際に、各テレビ映像Ｐｔをスムーズに表示することができる。
【００３９】
なお、本発明は、上記の構成に限定されない。例えば、光学エンジン３１およびスクリーンパネル３２を備えて表示部１１を構成した例について上記したが、表示部として、ＣＲＴ、液晶表示パネルおよびプラズマディスプレイを採用することもできる。また、テレビ映像Ｐｔを２画面表示するテレビ１を例に挙げて説明したが、３つ以上のテレビ映像Ｐｔを同時に表示するテレビに本発明を適用することもできる。また、第１チューナ１４ａおよび第２チューナ１４ｂの２つのチューナを備えた例について上記したが、複数のチャンネルの放送信号Ｓｂを１つのチューナで抽出する構成を採用することもできる。また、チューナが別体に構成されている表示装置に本発明を適用することもできる。
【図面の簡単な説明】
【００４０】
【図１】テレビ１の構成を示すブロック図である。
【図２】テレビ１の正面図である。
【図３】テレビ映像Ｐｔ２の表示画面図である。
【図４】テレビ映像Ｐｔ１，Ｐｔ３が２画面表示された状態の表示画面図である。
【図５】チャンネルＣＨ１の音量レベルを上げた状態の表示画面図である。
【図６】テレビ映像Ｐｔ３を主画面とした状態の表示画面図である。
【図７】チャンネルＣＨ６の音量レベルを下げた状態の表示画面図である。
【符号の説明】
【００４１】
１  テレビ、１１  表示部、１４ａ  第１チューナ、１４ｂ  第２チューナ、１６  音声制御部、１７  音量レベルメモリ、１８  音声出力部、２０  主制御部、４２  チャンネルボタン、４７  主・副切替ボタン、Ｄｖ  音量レベルデータ、ＣＨ１，ＣＨ３，ＣＨ６  チャンネル
【図１】
2006101088.tif 000003
【図２】
2006101088.tif 000004
【図３】
2006101088.tif 000005
【図４】
2006101088.tif 000006
【図５】
2006101088.tif 000007
【図６】
2006101088.tif 000008
【図７】
2006101088.tif 000009